(57)【要約】【課題】受け台の位置決めを作業員１人で行うことができ、かつ、受け台の任意の基準点から据付基準線までの水平距離を変化させても位置決めを行うことができる位置決め治具を提供する。【解決手段】水平な基準面（床Ｆ）に設置された受架台３０上に配置される受け台２０を基準面に設けた基準線Ｌ２に基づいて位置決めする際に使用する位置決め治具１０であって、受け台２０上面に載置される略帯板状の治具本体１１と、治具本体の長手方向一端寄りの面内に貫通形成されて長手方向と平行に延びる長孔１２と、治具本体の長手方向他端縁に形成された吊り糸ガイド用の切欠き部１３と、治具本体の長手方向他端縁近傍に始端部１４ａを有し且つ治具本体の長手方向端縁に沿って形成された目盛１４と、を備え、目盛の始端部は、切欠き部の内奥部１３ａに相当する位置に設定されている。【選択図】図１
2010275812.tif 000002
【特許請求の範囲】
【請求項１】
水平な基準面に設置された受架台上に配置される受け台を前記基準面に設けた基準線に基づいて位置決めする際に使用する位置決め治具であって、
前記受け台上面に載置される略帯板状の治具本体と、該治具本体の長手方向一端寄りの面内に貫通形成されて長手方向と平行に延びる長孔と、該治具本体の長手方向他端縁に形成された吊り糸ガイド用の切欠き部と、該治具本体の前記長手方向他端縁近傍に始端部を有し且つ該治具本体の長手方向端縁に沿って形成された目盛と、を備え、
前記目盛の始端部は、前記切欠き部の内奥部に相当する位置に設定されていることを特徴とする位置決め治具。
【請求項２】
請求項１に記載の位置決め治具において、前記治具本体適所に治具本体の水平状態を確認する水平器を備えたことを特徴とする位置決め治具。
【請求項３】
請求項１又は２に記載の位置決め治具を用いて、水平な基準面に設置された受架台上に配置される受け台を前記基準面に設けた基準線に基づいて位置決めする位置決め方法であって、
前記受け台上面に形成されたネジ穴と前記治具本体の長孔とを連通させた状態で該ネジ穴にボルトを螺着して、前記治具本体を前記受け台上面に載置する工程と、
前記ボルトに沿って該治具本体を前記受け台上を移動させることにより該治具本体の他端縁が該受け台上面から突出する長さを予め判明している基準長に調整する工程と、
前記受け台上面に設置した保持器から引き出された錘付き吊り糸を前記治具本体上面を経由して前記切欠き部から前記基準面に向けて垂下させる工程と、
前記吊り糸先端の錘が前記基準線と一致するように前記受け台を移動させる工程と、
調整後に前記受け台と前記治具本体とを固定する工程と、
を備えたことを特徴とする位置決め方法。
【発明の詳細な説明】
【技術分野】
【０００１】
本発明は、床面や地表面等の水平な基準面から鉛直方向に所定距離離間した位置にある物の位置決めに使用する治具及びこの治具を使用した位置決め方法に関する。具体的には、例えば建物構造体の床に設置された受架台上に配置される受け台の位置を決める際に使用する治具に関する。
【背景技術】
【０００２】
電気室や電算室等においては、コンクリートスラブ等の建物構造体の床と床仕上げとの間に配線や配管のための空間を設けるべく、フリーアクセスフロアを利用して二重床構造とする場合がある。このようなフリーアクセスフロアが施工された箇所に電気盤等、重量のある什器を据え付ける場合、什器はフリーアクセスフロアに固定せず、建物構造体の床に設置された受架台と受架台に載置された受け台を用いて間接的に建物構造体の床に固定する。
図５は、建物構造体の床に設置された受架台上に受け台を配置する様子を示す図である。受架台１００は、受け台１１０に載置される受電盤の重量を支える柱部材１０１と、柱部材１０１上に固定されて受け台１１０が載置される台部材１０２とからなる。通常、受け台１１０の位置決めは、予め受け台１１０の側端面直下の床Ｆ面上に描かれた据付基準線Ｌ１と、受け台１１０上から吊り下げた下げ振り１１１との位置を合致させることにより行う。このとき、下げ振り１１１の吊り糸１１２（錘の先端）と受け台１１０の側端面とが接触するように下げ振り１１１を吊り下げる。
【０００３】
しかし、図５のフランジ部１０３のように、受架台１００が受け台１１０の側面よりも水平方向に突出した形状を有する場合には、予め受け台１１０の側端面直下に対応する床面部位Ｌ１から所定距離αだけ離間させて据付基準線（逃げ墨）Ｌ２を描いておき、差し金１１３等を用いて受け台１１０の側端面からαだけ離間させた位置から下げ振り１１１を吊り下げて、下げ振り１１１と逃げ墨Ｌ２との位置を合致させることにより受け台１１０の位置決めを行っていた。差し金１１３以外にも、必要に応じてトランシット、直線型鋼尺、万力、水平器等を組み合わせて位置決め作業を行っていた。
上述のように据付基準線と下げ振りを利用した位置決めは一般的に行われている。例えば特許文献１には、四方向に突出したアームを有するアンカーフレーム位置決め治具が記載されている。アンカーフレームを捨てコンクリート上の基準線に合わせて位置決めするにあたり、アンカーフレーム上に配置した位置決め治具の夫々のアームから下げ振りを吊り下げて、夫々の下げ振りが基準線上となるように調整した後、アンカーフレームを固定するというものである。差し金等を利用して位置決めする場合、少なくとも差し金等を保持する作業員とアンカーフレームを移動させる作業員が必要であったが、特許文献１の位置決め治具を用いることで、アンカーフレームの位置決め作業を１人で行うことができるようになった。
【先行技術文献】
【特許文献】
【０００４】
【特許文献１】特開平５−１４１０９５号公報
【発明の概要】
【発明が解決しようとする課題】
【０００５】
しかしながら特許文献１記載の位置決め治具では、ある任意の基準点から据付基準線までの水平距離を計測することはできない。また、下げ振りの吊り下げ位置がアンカーフレームに対して固定的であるため、アンカーフレームに対する据付基準線の位置を変更すると、位置決め治具が使えなくなるという問題がある。
本発明は、上述の事情に鑑みてなされたものであり、受け台の位置決めを作業員１人で行うことができ、かつ、受け台の任意の基準点から据付基準線までの水平距離を変化させても位置決めを行うことができる位置決め治具を提供することを目的とする。
【課題を解決するための手段】
【０００６】
上記の課題を解決するために、請求項１に記載の発明は、水平な基準面に設置された受架台上に配置される受け台を前記基準面に設けた基準線に基づいて位置決めする際に使用する位置決め治具であって、前記受け台上面に載置される略帯板状の治具本体と、該治具本体の長手方向一端寄りの面内に貫通形成されて長手方向と平行に延びる長孔と、該治具本体の長手方向他端縁に形成された吊り糸ガイド用の切欠き部と、該治具本体の前記長手方向他端縁近傍に始端部を有し且つ該治具本体の長手方向端縁に沿って形成された目盛と、を備え、前記目盛の始端部は、前記切欠き部の内奥部に相当する位置に設定されていることを特徴とする。
請求項２に記載の発明は、請求項１に記載の位置決め治具において、前記治具本体適所に治具本体の水平状態を確認する水平器を備えたことを特徴とする。
請求項３に記載の発明は、請求項１又は２に記載の位置決め治具を用いて、水平な基準面に設置された受架台上に配置される受け台を前記基準面に設けた基準線に基づいて位置決めする位置決め方法であって、前記受け台上面に形成されたネジ穴と前記治具本体の長孔とを連通させた状態で該ネジ穴にボルトを螺着して、前記治具本体を前記受け台上面に載置する工程と、前記ボルトに沿って該治具本体を前記受け台上を移動させることにより該治具本体の他端縁が該受け台上面から突出する長さを予め判明している基準長に調整する工程と前記受け台上面に設置した保持器から引き出された錘付き吊り糸を前記治具本体上面を経由して前記切欠き部から前記基準面に向けて垂下させる工程と、前記吊り糸先端の錘が前記基準線と一致するように前記受け台を移動させる工程と、調整後に前記受け台と前記治具本体とを固定する工程と、を備えたことを特徴とする位置決め方法。
【発明の効果】
【０００７】
本発明の位置決め治具によれば、長孔にボルトを差し込んで受け台に固定することができるので、受け台の位置決め作業を１人でも行うことができ、労力及び作業時間の削減を図ることができる。また、長孔によって、受け台上面からの突出量を自在に調整可能であるので、基準線の位置によらず、本発明の位置決め治具を用いた位置決めを行うことができる。
また、切欠き部の内奥部に相当する位置から長手方向端縁に沿って目盛が形成されているので、切欠き部から吊り下げた下げ振りと受け台の端面との距離を容易かつ正確に設定することができる。
【図面の簡単な説明】
【０００８】
【図１】第一の実施形態に係る位置決め治具を示した平面図及び側面図である。
【図２】位置決め治具の養生用座金を示した平面図及び側面図である。
【図３】位置決め治具の使用方法を説明する斜視図である。
【図４】図３のボルトＢ部分を拡大した図であり、（ａ）は正面図、（ｂ）は側面図である。
【図５】従来の位置決め方法を説明する斜視図である。
【発明を実施するための形態】
【０００９】
以下、本発明の実施形態を詳細に説明する。
本発明の第一の実施形態について図１、図２乃至図４に基づいて説明する。図１は、本実施形態に係る位置決め治具を示した平面図及び側面図である。図２は、位置決め治具の養生用座金を示した平面図及び側面図である。図３は、位置決め治具の使用方法を説明する斜視図である。図４は、図３のボルトＢ部分を拡大した図であり、（ａ）は正面図、（ｂ）は側面図である。本実施形態の位置決め治具は、長孔と目盛を備えた点に特徴がある。
【００１０】
本発明の位置決め治具１０は、建物構造体の床等、水平な基準面に設置された受架台上に配置される受け台の位置を決めるための治具である。
位置決め治具１０の治具本体１１は高耐食性めっき鋼板からなる略帯板状であり、治具本体１１の長手方向一端１１ａ寄りの面内に貫通形成されて長手方向と平行に延びる長孔１２と、治具本体１１の長手方向他端縁１１ｂに形成された吊り糸ガイド用の切欠き部１３と、治具本体１１の長手方向他端縁１１ｂの近傍に始端部１４ａを有し且つ治具本体１１の長手方向端縁１１ｃに沿って形成された目盛１４と、を備えている。目盛１４の始端部１４ａは、切欠き部１３の内奥部１３ａに相当する位置に設定されている。
治具本体１１は、ＪＩＳ１級水平器にて水平と判定される材料、例えば鋼製平板から構成する。使いやすさ、持ち運びやすさ、治具自体のたわみ難さ等を考慮して、例えば長さ２３０ｍｍ×幅５０ｍｍ×厚さ３．２ｍｍ程度とする。
治具本体１１は図３に示すように、受け台２０上面に形成された什器固定用のネジ穴（不図示）と長孔１２とを連通させた状態で、ネジ穴にボルトＢを螺着することにより受け台２０に着脱自在に固定可能である。また、受け台２０の側端面２１からネジ穴までの水平距離及び側端面２１の直下位置（線Ｌ１）から据付基準線Ｌ２までの水平距離（α）に応じて、治具本体１１の固定位置を調節することができる。図１の位置決め治具１０の場合、長孔１２の大きさはΦ１２×長さ１００ｍｍである。
【００１１】
切欠き部１３は、下げ振り４０の吊り糸４１をガイドする部分であり、例えば角度６０度のＶ字状とする。切欠き部１３を設けることにより、吊り糸４１先端に位置する錘４２の不要な揺動を防止し、安定させやすくなる。
目盛１４は、吊り糸４１の吊り下げ箇所、すなわち切欠き部１３の内奥部１３ａから一端１１ａ方向への距離を確認することができる。例えば、ＪＩＳ１級品鋼尺、長さ１５０ｍｍのものを用いる。図１はＪＩＳ１級品鋼尺を治具本体１１に貼付した例であるが、治具本体に目盛１４を直接印字又は刻んだものを用いてもよい。目盛１４は、少なくとも長手方向端縁の一方に備えていれば十分であるが、長手方向端縁の双方に目盛１４を備えてもよい。治具本体１１を側端面２１からの突出させる際、双方の目盛１４の所望の位置と側端面２１とを合致させることで、治具本体１１を受け台２０から略垂直に調整しやすくなる。また、目盛１４を治具本体１１の両面に備えることにより、治具本体の表面裏面を意識することなく、治具を用いることができる。
位置決め治具１０を使用する際、治具本体１１をボルトＢによる傷等から保護するべく、図２に示すような養生用座金１５を位置決め治具１０とボルトＢとの間に用いることが望ましい。養生用座金１５は、高耐食性めっき鋼板の板状部材からなる座金本体１６と、座金本体１６の少なくとも一方の面に貼着された緩衝材１７と、座金本体１６と緩衝材１７とを貫通するように形成された丸形の螺着孔１８と、から構成される。緩衝材１７には、例えばクロロプレンゴムを用いることができる。図２に示す座金本体１６は長さ５０ｍｍ×幅３０ｍｍ×厚さ１．６ｍｍであり、緩衝材１７は長さ５０ｍｍ×幅３０ｍｍ×厚さ１ｍｍであり、螺着孔１８はΦ１２ｍｍである。
【００１２】
上述の位置決め治具１０の使用法及び位置決め治具１０を用いた受け台２０の位置決め方法について図３、図４に基づいて説明する。
図３に示すように、水平な基準面である床Ｆには、什器の重量を支える柱部材３１と、受け台２０が載置される台部材３２と、を備える受架台３０が固定されている。柱部材３１の水平方向にフランジ部３３が張り出している。台部材３２上には、什器の底面を保持する受け台２０が載置されている。受け台２０の上面には什器固定用のネジ穴（不図示）がある。床Ｆ上には、受け台２０の側端面の直下位置（線Ｌ１）から所定距離αだけ離間して据付基準線Ｌ２が描かれている。
まず、ネジ穴と長孔１２と螺着孔１８とを連通させた状態で、ネジ穴にボルトＢを螺着して治具本体１１及び養生用座金１５を受け台２０上面に載置する。このとき、養生用座金１５は、緩衝材１７と治具本体１１とが接した状態で治具本体１１とボルトＢとの間に配置する（図４参照）。また、ボルトＢは仮止めの状態としておく。そしてボルトＢに沿って治具本体１１を受け台２０上を移動させて、始端部１４ａが受け台２０の側端面２１から水平に距離α（基準長）だけ離間する位置に調整し、治具本体１１をボルトＢにより受け台２０に固定する。
受け台２０上面に下げ振り４０を保持する保持器４３を設置する。ここで、下げ振り４０は、鉛直方向に垂下して据付基準線Ｌ２を指示する錘４２と、錘４２を支持する吊り糸４１とを備える。保持器４３は吊り糸４１を引き出し・収納自在に保持する。保持器４３から引き出された錘４２付きの吊り糸４１を、治具本体１１上面を経由して切欠き部１３から床Ｆに向けて垂下させる。吊り糸４１の先端に位置する錘４２が据付基準線Ｌ２と一致するように受け台２０を移動させ、受け台２０を台部材３２にボルトあるいは溶接等にて固定する。
【００１３】
以上のように、本実施形態に係る位置決め治具によれば、長孔にボルトを差し込んで受け台に固定することができるので、受け台の位置決め作業を１人でも行うことができ、労力及び作業時間の削減を図ることができる。また、長孔によって、受け台上面からの突出量を自在に調整可能であるので、基準線の位置によらず、本発明の位置決め治具を用いた位置決めを行うことができる。
また、切欠き部の内奥部に相当する位置から長手方向端縁に沿って目盛が形成されているので、切欠き部から吊り下げた下げ振りと受け台の端面との距離を容易かつ正確に設定することができる。
また、本実施形態に係る位置決め治具を位置確認治具として用いることもできる。すなわち、受け台の位置決めと同じ要領で位置決め治具及び下げ振りを取り付けた後、錘と据付基準線との位置を確認することで、受け台の位置確認を行うことができる。位置決めの際と同様、位置確認に必要な器具が少なく、労力、作業時間を削減することができるとともに、測定誤差を減らすことができる。
【００１４】
治具本体は略帯板状であるので、複数の位置決め治具を重ねた状態にて受け台に固定することが可能である（図３、図４参照）。例えば受け台の角部においては、２つの治具本体を夫々異なる方向に突出させることができる。位置決め治具の取り付けと位置決めとを交互に行う必要がないので、作業の効率化を図ることができ、受け台の据付基準線に対する設置誤差を減らすことができる。このとき、ボルトＢ側に位置する治具本体５１とボルトＢとの間に養生用座金１５を配置して、治具本体５１をボルトＢによる傷等から保護することが望ましい。
なお、図３に示すように、位置決め治具５０の治具本体５１適所に丸型気泡管５５（水平器）を取り付けてもよい。水平器を取り付けることで、治具本体５１が水平であるか否かを容易に確認することができる。
以上、説明中に用いた具体的な数値は一例であり、本発明はこれに限定されるものではない。
【符号の説明】
【００１５】
１０…位置決め治具、１１…治具本体、１２…長孔、１３…切欠き部、１３ａ…内奥部、１４…目盛、１４ａ…始端部、１５…養生用座金、１６…座金本体、１７…緩衝材、１８…螺着孔、２０…受け台、２１…側端面、３０…受架台、３１…柱部材、３２…台部材、３３…フランジ部、４０…下げ振り、４１…吊り糸、４２…錘、４３…下げ振り保持器、５０…位置決め治具、５１…治具本体、５５…丸型気泡管、１００…受架台、１０１…柱部材、１０２…台部材、１０３…フランジ部、１１０…受け台、１１２…吊り糸、１１３…差し金
【図１】
2010275812.tif 000003
【図２】
2010275812.tif 000004
【図３】
2010275812.tif 000005
【図４】
2010275812.tif 000006
【図５】
2010275812.tif 000007